(57)【要約】【課題】  空間光変調器の変調方式に拘わらず、光源の明るさを簡便、かつ、リニアに調整することができる光源装置を提供する。【解決手段】  一定の周期でもしくは常時点灯される光源装置であって、一定の電力が供給される複数の発光素子１１０１〜１１０８と、これら発光素子を選択的に駆動して上記点灯の期間にわたって一定の数の発光素子を発光させる光源駆動回路１２とを有する。光源駆動回路１２は、発光素子１１０１〜１１０８をそれぞれＰＷＭ駆動して上記一定の数の発光素子を発光させる。【選択図】図２
2005156711.tif 000002
【特許請求の範囲】
【請求項１】
一定の周期でもしくは常時点灯される光源装置であって、
それぞれが一定の光束を放射する複数の発光素子と、
前記複数の発光素子を選択的に駆動して前記点灯の期間にわたって一定の数の発光素子を発光させる光源駆動回路とを有する光源装置。
【請求項２】
前記光源駆動回路が、前記複数の発光素子をそれぞれパルス幅変調により駆動して前記一定の数の発光素子を発光させる、請求項１に記載の光源装置。
【請求項３】
前記複数の発光素子のそれぞれにおける点滅の周期が、前記点灯の周期と異なる、請求項２に記載の光源装置。
【請求項４】
前記複数の発光素子のそれぞれにおける点滅の周期が、前記点灯の周期と同じである、請求項２に記載の光源装置。
【請求項５】
前記光源駆動回路が、前記複数の発光素子のうちから前記一定の数の発光素子を選択して発光させる、請求項１に記載の光源装置。
【請求項６】
前記一定の数の発光素子として選択される発光素子の組み合わせが、前後の点灯で異なる、請求項５に記載の光源装置。
【請求項７】
前記一定の数の発光素子として選択される発光素子の組み合わせが、前後の点灯で同じである、請求項５に記載の光源装置。
【請求項８】
少なくとも１つの他の発光素子をさらに有し、
前記光源駆動回路が、前記点灯の期間にわたって、前記他の発光素子を発光させる、請求項１乃至７のいずれか１項に記載の光源装置。
【請求項９】
前記光源駆動回路は、前記他の発光素子に供給される電力を調整するための電力調整回路を備える、請求項８に記載の光源装置。
【請求項１０】
前記光源駆動回路は、前記複数の発光素子の少なくとも１つに供給される電力を調整する電力調整回路を備える、請求項１乃至７のいずれか１項に記載の光源装置。
【請求項１１】
請求項１乃至１０のいずれか１項に記載の光源装置と、
前記光源装置から放射された光で照明される空間光変調器とを有する映像表示装置。
【請求項１２】
前記空間光変調器がパルス幅変調により駆動される、請求項１１に記載の映像表示装置。
【請求項１３】
一定の周期でもしくは常時点灯される光源装置の駆動方法であって、
前記点灯の期間において、それぞれが一定の光束を放射する複数の発光素子を選択的に駆動する第１のステップと、
駆動される発光素子の数が前記点灯の期間にわたって一定となるように制御する第２のステップとを含む、光源装置の駆動方法。
【請求項１４】
前記第１のステップが、前記複数の発光素子をパルス幅変調により駆動するステップである、請求項１３に記載の光源装置の駆動方法。
【請求項１５】
前記パルス幅変調により駆動される発光素子の点滅の周期が、前記点灯の周期と異なる、請求項１４に記載の光源装置の駆動方法。
【請求項１６】
前記パルス幅変調により駆動される発光素子の点滅の周期が、前記点灯の周期と同じである、請求項１４に記載の光源装置の駆動方法。
【請求項１７】
前記第１のステップが、前記複数の発光素子のうちから一定の数の発光素子を選択して発光させるステップである、請求項１３に記載の光源装置の駆動方法。
【請求項１８】
前記一定の数の発光素子として選択される発光素子の組み合わせが、前後の点灯で異なる、請求項１７に記載の光源装置の駆動方法。
【請求項１９】
前記一定の数の発光素子として選択される発光素子の組み合わせが、前後の点灯で同じである、請求項１７に記載の光源装置の駆動方法。
【請求項２０】
前記点灯の期間に少なくとも１つの他の発光素子を駆動するステップをさらに含む、請求項１３乃至１９のいずれか１項に記載の光源装置の駆動方法。
【請求項２１】
前記他の発光素子に供給される電力を調整するステップをさらに含む、請求項２０に記載の光源装置の駆動方法。
【請求項２２】
前記複数の発光素子の少なくとも１つに供給される電力を調整するステップをさらに含む、請求項１３乃至２１のいずれか１項に記載の光源装置の駆動方法。
【発明の詳細な説明】
【技術分野】
【０００１】
本発明は、光源装置、特に、空間光変調器を照明するための光源装置およびその駆動方法に関する。また、本発明は、そのような光源装置を備える映像表示装置に関する。
【背景技術】
【０００２】
投写型映像表示装置、直視型液晶表示装置、ＨＭＤ（Head Mounted Display）などの映像表示装置では、光源からの光を空間光変調器によって変調して画像を表示する。空間光変調器としては、ＴＮ（Twisted Nematic）液晶デバイス、強誘電性液晶デバイス、ＤＭＤ（Digital Micromirror Device）といったものがある。
【０００３】
ＴＮ液晶デバイスは、旋光や複屈折といった性質を利用して、印加する電圧の大きさに応じて偏光の度合いを制御することによって通過する光の明るさを変化させるものである。光の通過率（透過率もしくは反射率）を連続的に制御することができるため、ＡＭ（Amplitude Modulation、振幅変調）駆動により階調表現を行うことができる。
【０００４】
強誘電性液晶デバイスは、複屈折を利用して、印加する電圧の極性に応じて２つの偏光状態の間で切替えを行うものである。光の通過率（透過率もしくは反射率）は離散的で、ＯＮ状態とＯＦＦ状態の２つの状態しかない。このため、通過光の明るさはＰＷＭ（Pulse Width Modulation、パルス幅変調）駆動により制御される。つまり、ＯＮ状態とＯＦＦ状態の時間比率を制御することによって階調を表現する。これは、人間の眼には積分効果があり、光の明滅周期が短ければ、人間には明滅が認識されずに平均化された明るさを感じるという現象を利用した階調表現方法である。
【０００５】
ＤＭＤは、画素数分の微小鏡を有しており、印加する電圧の極性に応じて微小鏡の傾きを切替えるものである。制御される微小鏡の傾きは２つの状態(ＯＮ状態、ＯＦＦ状態)しかない。このため、通過光の明るさはＰＷＭ駆動により制御される。
【０００６】
上述したように、空間光変調器には、ＡＭ駆動により階調表現を行うものと、ＰＷＭ駆動により階調表現を行うものとがある。ここで、ＰＷＭ駆動による階調表現方法について具体的に説明しておく。階調を８ビット精度で表現する場合、ビット０に割当てる時間を１スロットと呼ぶこととし、ビット１，２，３，４，５，６，７に割当てる時間をそれぞれ、２，４，８，１６，３２，６４，１２８スロットとする。つまり、画像更新周期毎に２５５スロット設け、各スロットに所定のビットを割付け、ビット毎にＯＮ，ＯＦＦ制御する。例えば、最大値２５５に対してレベル１３３（＝１２８＋０＋０＋０＋０＋４＋０＋１）の明るさを得るには、ビット７，６，５，４，３，２，１，０に相当するスロットにおける状態をそれぞれ、ＯＮ，ＯＦＦ，ＯＦＦ，ＯＦＦ，ＯＦＦ，ＯＮ，ＯＦＦ，ＯＮとすればよい。
【０００７】
次に、空間光変調器を照明する光源について説明する。この種の光源としては、一般に放電ランプが使われているが、最近では、ＬＥＤ（Light Emitting Diode）、ＬＤ（Laser Diode）、ＥＬ（Electroluminescence）素子などの発光素子を用いた光源も提案されている。例えば、特許文献１には、多数のＬＥＤを光源として用いた投写型映像表示装置が記載されている。ＬＥＤ、ＬＤ、ＥＬ素子などの発光素子は、放電ランプに比べて、（１）熱線や紫外線の成分を含まず、赤色、緑色、青色などの単色の発光が可能、（２）点灯制御が簡単、（３）応答速度が速い、（４）破裂しない、といった利点がある。ただし、単体の発光光束が小さい、といった欠点もある。
【０００８】
光源としてＬＥＤ、ＬＤ、ＥＬ素子などの発光素子を用いた場合の、光源の明るさの調整手法としては、発光光束の制御と発光時間の制御とがある。
【０００９】
先ず、発光光束の制御によって光源の明るさを調整する方法について説明する。ＬＥＤ、ＬＤ、ＥＬ素子などの発光素子では、駆動電流を増加させることによって発光光束を増加さることができる。つまり、これらの発光素子は、ＡＭ駆動によって明るさを制御することができる。しかしながら、このＡＭ駆動によって明るさを調整する場合、発光光束−駆動電流特性は線形とならない。加えて、発光素子によっては、駆動電流によって発光色がずれる現象、いわゆるブルーシフトやレッドシフトと呼ばれる現象が生じる場合がある。したがって、発光特性を把握していなければ、光源の明るさを正確に調整することができない。特に、複数の発光色の発光素子を用いる場合には、各発光素子の色のバランスがずれると、合成した光の色度が所望の値からずれてしまう、という不具合が生じる。
【００１０】
次に、発光時間の制御によって光源の明るさを調整する方法、即ち、ＰＷＭ駆動による調整方法について説明する。例えば、特許文献２には、ＰＷＭ駆動によってＬＥＤの明るさを調整する方法が記述されている。ＰＷＭ駆動による調整方法では、光源を周期的に点灯、消灯するようにし、点灯と消灯の時間比率を変えることにより明るさを調整する。前述したように人間の眼には積分効果があるため、ある程度以下の短い周期で光が点滅する場合、その光の明るさは、その周期における平均値で連続点灯した場合の明るさと等しく感じる。つまり、点灯時間の比率が大きければ明るく、小さければ暗く感じる。ＰＷＭ駆動による調整方法の場合、光源の応答速度が十分に速ければ、点灯時間の比率で明るさが決まるため、明るさの調整を精確に行うことができる。但し、点滅周期が長く、明るさの変動が人間の眼に認識されると、いわゆるフリッカと呼ばれる不具合を生じる。
【００１１】
図９は、従来のＰＷＭ駆動方式の光源装置の回路構成を示すブロック図である。この光源装置は、複数の発光素子Ｃ１１０１〜Ｃ１１０８と、光源制御部Ｃ１２１と、電源Ｃ１２２と、スイッチ回路Ｃ１２３とから構成されている。電源Ｃ１２２は、スイッチ回路Ｃ１２３を介して各発光素子Ｃ１１０１〜Ｃ１１０８に共通に電流を供給する。スイッチ回路Ｃ１２３は、光源制御部Ｃ１２１からの制御信号によってＯＮ／ＯＦＦ制御される。スイッチ回路Ｃ１２３がＯＮになると、発光素子Ｃ１１０１〜Ｃ１１０８が全て点灯する。他方、スイッチ回路Ｃ１２３がＯＦＦになると、発光素子Ｃ１１０１〜Ｃ１１０８が全て消灯する。
【００１２】
図１０は、図９に示した従来のＰＷＭ駆動方式の光源装置の動作を示すタイミング図である。この例は、光源装置を周期的に点灯させた場合の動作を示したものである。光源制御部Ｃ１２１から供給される制御信号がハイレベルの時に、スイッチ回路Ｃ１２３がＯＮするものとする。スイッチ回路Ｃ１２３は、光源点灯期間の６／８の期間だけＯＮ状態とされる。この場合の点灯期間における平均光束は、全発光素子が点灯期間にわたって点灯した場合の６／８の光束となる。このように、点灯時間比率を制御することによって、最大光束に対する光束比率を調整することができる。
【００１３】
映像表示装置における光源の明るさの調整の目的は、（１）電力の消費を軽減するために減光する機能、（２）相異なる色の光を発する複数の光源を用いている場合に、合成光の色度を所望の通りに調整するために各色の光源を調光する機能、（３）光源での変調と、空間光変調器での画素毎の変調とを合わせて所望の空間光変調を行う機能などを持たせることにある。（３）の機能を持たせた例として、特許文献３には、直視型液晶表示装置において、映像信号に応じて光源をＡＭ駆動し、それに対応して液晶デバイスの階調制御を変えて、画質を改善する方法が記述されている。また、特許文献４には、ＤＭＤを用いた投写型映像表示装置において、動的に切替える濃度フィルタを放電ランプと共に用いて照明光を変調することによって、ＤＭＤに対するＰＷＭ制御速度を低減する方法が記述されている。
【特許文献１】特開２０００−５６４１０号公報
【特許文献２】特開２００１−２７２９３８号公報
【特許文献３】特開平６−１０２４８４号公報
【特許文献４】特開平９−１４９３５０号公報
【発明の開示】
【発明が解決しようとする課題】
【００１４】
上述したように、光源の明るさを調整する調光には、ＡＭ駆動によるものとＰＷＭ駆動によるものとがある。しかし、これらＡＭ駆動およびＰＷＭ駆動による調光には、以下のような問題がある。
【００１５】
ＡＭ駆動による調光においては、発光光束−駆動電流特性が線形とならないこと、発光素子によっては駆動電流によって発光色がずれる現象が生じること、などの理由から、明るさをリニアに調整することは困難である。
【００１６】
ＰＷＭ駆動による調光においては、ＡＭ駆動のものに比べて、簡便、かつ、リニアに明るさを制御することができるものの、強誘電性液晶デバイスやＤＭＤなどのような、ＰＷＭ駆動によって階調表現を行う空間光変調器を照明する光源への適用は、以下のような理由から困難なものとなっていた。
【００１７】
前述したように空間光変調器には、ＴＮ液晶デバイスなどのようにＡＭ駆動によって階調表現するものと、強誘電性液晶デバイスやＤＭＤなどのようにＰＷＭ駆動によって階調表現するものとがある。ＡＭ駆動により階調表現する空間光変調器を照明する光源を調光する方法としては、ＡＭ駆動およびＰＷＭ駆動のいずれも適用することができる。しかし、ＰＷＭ駆動により階調表現する空間光変調器を照明する光源を調光する方法としては、ＡＭ駆動はよいが、ＰＷＭ駆動は不適切である。その理由は、空間光変調器は、ＰＷＭ駆動されている期間は一定の光束の光で照明されている必要があるためである。つまり、ＰＷＭ駆動による調光では、点灯期間のうちのある期間（図１０の例では、点灯期間の２／８の期間）は発光していないため、この期間は空間光変調器を照明することができず、空間光変調器をＰＷＭ駆動しても階調表現を行うことができない。
【００１８】
上記問題の他、ＰＷＭ駆動による調光では、点灯期間のうちのある期間（図１０の例では、点灯期間の６／８の期間）だけ発光するといった、点滅動作が行われるため、その点滅周期の長さによっては、フリッカを生じる、という問題もある。
【００１９】
本発明の目的は、上記問題を解決し、空間光変調器の変調方式に拘わらず、光源の明るさを簡便、かつ、リニアに調整することができる光源装置および駆動方法ならびにそれを用いた映像表示装置を提供することにある。
【課題を解決するための手段】
【００２０】
上記目的を達成するため、本発明の光源装置および駆動方法の特徴は、それぞれが一定の光束を放射する複数の発光素子を選択的に駆動して点灯の期間にわたって一定の数の発光素子を発光させることにある。
【００２１】
上記の特徴によれば、光源の明るさは、複数の発光素子が全て発光したときの全光束に対する、一定の数の発光素子が発光したときの光束の比である相対光束によって示される。駆動される発光素子の数は点灯期間のどの時点においても一定とされるので、点灯期間中の相対光束は一定とされる。このように、点灯期間のうちのある期間において発光を行う従来の点滅動作とは異なり、点灯の期間にわたって常に一定の相対光束を得られるので、フリッカは発生しない。
【００２２】
また、複数の発光素子には一定の電力が供給されるようになっており、発光素子を駆動する電流や電圧が増減することはない。すなわち、本発明においては、発光素子の明るさは、発光素子を駆動する電流や電圧によって調整するのではなく、同時に駆動する発光素子の数によって調整する。よって、発光素子の発光光束−駆動電流特性が非線形であるために明るさをリニアに調整することができない、といった問題は生じない。また、駆動する電流や電圧によって発光色が変化する発光素子を用いた場合に、明るさを調整しても発光色がずれることもない。
【００２３】
上述した本発明の光源装置および駆動方法において、前記複数の発光素子をそれぞれパルス幅変調（ＰＷＭ）により駆動して一定の数の発光素子を発光させてもよい。このように構成することで、ＰＷＭ駆動される空間光変調器への適用が可能な、ＰＷＭ駆動により調光が行われる光源装置の提供が可能となる。また、点灯の期間において、複数の発光素子が満遍なく選択されて発光されることになるので、各発光素子の発光特性に個体差がある場合の発光特性のばらつきが平均化されることになる。
【００２４】
上記の場合、前記複数の発光素子のそれぞれにおける点滅の周期が、前記点灯の周期と同じであっても、異なっていてもよい。点滅の周期が点灯の周期と異なる場合は、各発光素子のそれぞれにおける発光のタイミングが前後の点灯で異なることになり、点灯の周期のあらゆる位相において発光素子を満遍なく発光させることとなる。よって、ＰＷＭ駆動される空間光変調器を照明した場合に、特定のビットに相当するスロットで発光する発光素子に偏りがなくなるので、各発光素子の発光特性に個体差があっても空間光変調器における階調表現の線形性が保たれる。
【００２５】
また、上述した本発明の光源装置および駆動方法において、前記複数の発光素子のうちから一定の数の発光素子を選択して発光させてもよい。この場合、前記一定の数の発光素子として選択される発光素子の組み合わせが、前後の点灯で同じであってもよいし、異なっていてもよい。発光素子の組み合わせが前後の点灯で同じ場合は、選択される発光素子が一意に決まるため、光源駆動回路の構成が簡易なものとなる。発光素子の組み合わせが前後の点灯で異なる場合は、複数の点灯の期間にわたって、発光素子が満遍なく選択されて発光されることになる。よって、各発光素子の発光特性に個体差がある場合の発光特性のばらつきが平均化されることになる。
【００２６】
以上の本発明の光源装置および駆動方法において、前記点灯の期間にわたって、少なくとも１つの他の発光素子を発光させてもよい。この構成によれば、他の発光素子を発光させる分だけ、光源の明るさの調整範囲がシフトする。
【００２７】
上記の場合、前記他の発光素子に供給される電力を調整するようにしてもよい。この構成によれば、他の発光素子の発光光束を連続的に調整することが可能であり、その光束の調整が光源の明るさに反映される。よって、光源の明るさを連続的に調整することが可能である。
【００２８】
また、前記複数の発光素子の少なくとも１つに供給される電力を調整するようにしてもよい。この構成によれば、各発光素子の発光特性の個体差を補正することが可能となる。加えて、駆動電流や駆動電圧によって色度が変化する発光素子を用いた場合に、各発光素子の色度が一様になるように調整することが可能となる。
【００２９】
本発明の映像表示装置は、上述したいずれかの光源装置と、前記光源装置から放射された光で照明される空間光変調器とを有することを特徴とする。この構成によれば、上述したような特徴を有する光源装置を用いているので、表示画像の明るさを簡便、かつ、リニアに調整することが可能であり、また、フリッカの発生や発光色のずれなども抑制される。
【発明の効果】
【００３０】
以上説明したように、本発明の光源装置および駆動方法によれば、発光素子の発光光束−駆動電流特性に関係なく、光源の明るさを簡便、かつ、リニアに調整することができるとともに、フリッカの発生や発光色のずれを防止することができる、という効果を奏する。
【００３１】
本発明のうち、ＰＷＭ駆動が行われるものにおいては、上記効果に加えて、ＴＮ液晶デバイスのようなＡＭ駆動の空間光変調器およびＤＭＤや強誘電性液晶デバイスのようなＰＷＭ駆動の空間光変調器のいずれにも光源として用いることができる、という効果を奏する。
【００３２】
本発明のうち、発光素子が満遍なく選択されるものにおいては、上記効果に加えて、発光素子の発光特性に個体差があっても、その影響を低減できる、という効果を奏する。
【００３３】
本発明のうち、点灯の周期のあらゆる位相において発光素子を満遍なく発光させるものにおいては、ＰＷＭ駆動の空間光変調器を照明する場合に、発光素子の発光特性の個体差があっても、階調表現の線形性が保たれる、という効果を奏する。
【００３４】
本発明の映像表示装置によれば、上述した効果を奏する光源装置を備えることで、表示画像の品質に優れた映像表示装置を実現することができる、という効果を奏する。
【発明を実施するための最良の形態】
【００３５】
次に、本発明の実施の形態について図面を参照して詳細に説明する。
【００３６】
図１に、本発明の光源装置を備える映像表示装置の一構成例を示す。この映像表示装置は、光源装置１Ｒ、１Ｇ、１Ｂと、照明光学系２と、空間光変調器３と、投写光学系４と、信号処理回路５とから構成される。
【００３７】
光源装置１Ｒ、１Ｇ、１Ｂは、本発明の光源装置であって、それぞれ赤色、緑色、青色の光を放射する。光源装置１Ｒは、赤色の光を発光する複数の発光素子からなる発光素子アレイ１１Ｒと、この発光素子アレイ１１Ｒを駆動する光源駆動回路１２Ｒとからなる。光源装置１Ｇは、緑色の光を発光する複数の発光素子からなる発光素子アレイ１１Ｇと、この発光素子アレイ１１Ｇを駆動する光源駆動回路１２Ｇとからなる。光源装置１Ｂは、青色の光を発光する複数の発光素子からなる発光素子アレイ１１Ｂと、この発光素子アレイ１１Ｂを駆動する光源駆動回路１２Ｂとからなる。各発光素子アレイ１１Ｒ、１１Ｇ、１１Ｂに用いる発光素子としては、ＬＥＤが望ましい。なぜならば、ＬＥＤは、（１）赤色、緑色、青色などの単色の発光が可能である、（２）電気的に発光が制御できる、（３）応答時間が数マイクロ秒程度以下であり、人間がフリッカを感じる周期もしくは画像更新周期に対して十分に小さい、といった特徴を有するため、後述する制御が可能になるからである。このような特性を有する発光素子としては、ＬＥＤ以外に、ＬＤやＥＬ素子などがある。
【００３８】
各光源装置１Ｒ、１Ｇ、１Ｂから放射された光は、照明光学系２によって、効率よく均一に空間光変調器３に照明される。照明光学系２は、色合成光学系２１と、インテグレータ光学系２２とからなる。色合成光学系２１は、各光源装置1Ｒ、１Ｇ、１Ｂからの光がそれぞれ異なる経路で入射し、該入射した光を同一経路上に射出する。色合成光学系２１としては、ダイクロイックプリズム、ダイクロイックミラー、あるいはフライアイレンズなどが用いられる。インテグレータ光学系２２は、色合成光学系２１からの光の、空間光変調器３上における照度分布が均一になるようにするものである。インテグレータ光学系２２としては、フライアイレンズ、ロッドレンズ、あるいはライトパイプなどが用いられる。
【００３９】
空間光変調器３は、照明光学系２からの光を空間的に変調する。この変調された光は画像を形成する光束（画像光束）として投写光学系４に入射する。投写光学系４は、空間光変調器３からの画像光束を図示しないスクリーン上へ投写する。
【００４０】
信号処理回路５は、外部から供給される映像信号Ｓ１に基づいて空間光変調器３を駆動する。空間光変調器３の駆動に際して、信号処理回路５は、映像信号Ｓ１に同期検出、カラースペース変換、デガンマ補正などの信号処理を行う。また、信号処理回路５は、映像信号Ｓ１から得られる画像更新タイミング（例えばフレームの切替るタイミング）に同期して光源装置１Ｒ、１Ｇ、１Ｂを制御する。この制御では、光源装置１Ｒ、１Ｇ、１Ｂの切替え（発光色の切替え）、スクリーン上へ投写される画像光束（合成光）の明るさや色度の調整などが行われる。
【００４１】
上述した映像表示装置では、光源装置１Ｒ、１Ｇ、１ＢからＲ（赤）光、Ｇ（緑）光、Ｂ（青）光が順次放射されて空間光変調器３に照射される。空間光変調器３では、ＰＷＭ駆動またはＡＭ駆動により階調表現がなされて、Ｒ（赤）光、Ｇ（緑）光、Ｂ（青）光のそれぞれの画像光束が形成される。こうして形成されたＲ（赤）光、Ｇ（緑）光、Ｂ（青）の画像光束が順次、投写光学系４によって不図示のスクリーン上に投写れることでカラー表示がなされる。
【００４２】
次に、光源装置１Ｒ、１Ｇ、１Ｂとして用いられる本発明の光源装置について具体的に説明する。光源装置１Ｒ、１Ｇ、１Ｂの回路構成は基本的には同じであるので、ここでは、区別せずに説明する。
【００４３】
図２に、本発明の一実施形態である光源装置の回路構成の一例を示す。この光源装置は、複数の発光素子１１０１〜１１０８からなる発光素子アレイ１１と、これを駆動する光源駆動回路１２とから構成される。光源駆動回路１２は、光源制御部１２１と、電源１２２と、複数のスイッチ回路１２３１〜１２３８とからなる。
【００４４】
各発光素子１１０１〜１１０８の一方の電極は、電源１２２の一方の電極に共通に接続され、他方の電極はそれぞれスイッチ回路１２３１〜１２３８を介して電源１２２の他方の電極に共通に接続されている。電源１２２は、発光素子１１０１〜１１０８に共通に電力を供給する。スイッチ回路１２３１〜１２３８は、それぞれ発光素子１１０１〜１１０８への電力の供給をＯＮ／ＯＦＦ制御するためのものである。図２の例では、発光素子１１０１は、スイッチ回路１２３１がＯＮの時に発光するような極性で電源１２２に接続されている。これと同様に、他の発光素子１１０２〜１１０８も、それぞれスイッチ回路１２３２〜１２３８がＯＮの時に発光するような極性で電源１２２に接続されている。光源制御部１２１は、図１に示した信号処理回路５から供給される、光源点灯制御および光束調整のための光源制御信号Ｓ２に基づいてスイッチ回路１２３１〜１２３８をＯＮ／ＯＦＦ制御する。
【００４５】
上記の光源装置における光源点灯制御および光束調整にはいくつかの動作形態がある。以下、動作例１〜４を挙げて、それぞれの動作の特徴について具体的に説明する。
【００４６】
（動作例１）
図３は、図２に示した光源装置の第１の動作例を示すタイミング図である。この例は、空間光変調器における画像更新周期に同期して光源装置を周期的に点灯させた場合の動作である。各スイッチ回路１２３１〜１２３８は、光源制御部１２１から供給される制御信号がハイレベルのときにＯＮ状態になるものとする。図３中の下側には、光源の明るさとして、光源装置から放射される光束の、発光素子が全点灯した場合の光束を基準とする相対光束が示されている。なお、以下の説明では、点灯期間が期間Ｐ１〜Ｐ８に分割されているものと仮定する。
【００４７】
スイッチ回路１２３１〜１２３８は、いずれも、点灯期間のうちの７／８の期間がＯＮ状態となるように制御される。具体的には、スイッチ回路１２３１は、期間Ｐ１がＯＦＦ状態とされ、期間Ｐ２〜Ｐ８がＯＮ状態とされる。スイッチ回路１２３２は、期間Ｐ２がＯＦＦ状態とされ、期間Ｐ１、Ｐ３〜Ｐ８がＯＮ状態とされる。スイッチ回路１２３３は、期間Ｐ３がＯＦＦ状態とされ、期間Ｐ１、Ｐ２、Ｐ４〜Ｐ８がＯＮ状態とされる。スイッチ回路１２３４は、期間Ｐ４がＯＦＦ状態とされ、期間Ｐ１〜Ｐ３、Ｐ５〜Ｐ８がＯＮ状態とされる。スイッチ回路１２３５は、期間Ｐ５がＯＦＦ状態とされ、期間Ｐ１〜Ｐ４、Ｐ６〜Ｐ８がＯＮ状態とされる。スイッチ回路１２３６は、期間Ｐ６がＯＦＦ状態とされ、期間Ｐ１〜Ｐ５、Ｐ７、Ｐ８がＯＮ状態とされる。スイッチ回路１２３７は、期間Ｐ７がＯＦＦ状態とされ、期間Ｐ１〜Ｐ６、Ｐ８がＯＮ状態とされる。スイッチ回路１２３８は、期間Ｐ８がＯＦＦ状態とされ、期間Ｐ１〜Ｐ７がＯＮ状態とされる。
【００４８】
上記のように、各スイッチ回路１２３１〜１２３８は、点灯期間のうちの１／８の期間がＯＦＦ状態とされており、このＯＦＦ状態となるタイミングを互いにずらすことによって、期間Ｐ１〜Ｐ８のどの期間においても、スイッチ回路１２３１〜１２３８のうちの７個が必ずＯＮ状態となるように制御されている。このため、点灯期間のどの時点においても、各発光素子１１０１〜１１０８がすべて点灯した場合の全光束に対する相対光束（７／８）が光源装置から放射されることとなる。
【００４９】
本動作例では、点灯期間に対する、各スイッチ回路１２３１〜１２３８のＯＮ状態とされる期間の比率を変えることで光源の調光が可能になっており、その調整範囲は、相対光束で、０／８〜８／８の範囲である。
【００５０】
次に、光源装置から放射される光束として、相対光束（６／８）を得る場合について説明する。図２におけるスイッチ回路１２３１〜１２３８のいずれも、光源点灯期間の６／８の期間をＯＮとする。更に、ＯＮのタイミングを互いにずらすことによって、光源点灯期間のどの時点においても、８個のスイッチ回路１２３１〜１２３８のうち、６個がＯＮとなるように制御する。そうすることによって、光源点灯期間のどの時点においても、光源装置から放射される光束を全発光素子が点灯した場合の６／８とすることができる。図４に、光源装置から放射される光束として、相対光束（６／８）を得る場合の動作例を示す。
【００５１】
図４に示す例では、スイッチ回路１２３１〜１２３８は、いずれも、点灯期間のうちの６／８の期間がＯＮ状態となるように制御される。具体的には、スイッチ回路１２３１は、期間Ｐ１、Ｐ２がＯＦＦ状態とされ、期間Ｐ３〜Ｐ８がＯＮ状態とされる。スイッチ回路１２３２は、期間Ｐ２、Ｐ３がＯＦＦ状態とされ、期間Ｐ１、Ｐ４〜Ｐ８がＯＮ状態とされる。スイッチ回路１２３３は、期間Ｐ３、Ｐ４がＯＦＦ状態とされ、期間Ｐ１、Ｐ２、Ｐ５〜Ｐ８がＯＮ状態とされる。スイッチ回路１２３４は、期間Ｐ４、Ｐ５がＯＦＦ状態とされ、期間Ｐ１〜Ｐ３、Ｐ６〜Ｐ８がＯＮ状態とされる。スイッチ回路１２３５は、期間Ｐ５、Ｐ６がＯＦＦ状態とされ、期間Ｐ１〜Ｐ４、Ｐ７、Ｐ８がＯＮ状態とされる。スイッチ回路１２３６は、期間Ｐ６、Ｐ７がＯＦＦ状態とされ、期間Ｐ１〜Ｐ５、Ｐ８がＯＮ状態とされる。スイッチ回路１２３７は、期間Ｐ７、Ｐ８がＯＦＦ状態とされ、期間Ｐ１〜Ｐ６がＯＮ状態とされる。スイッチ回路１２３８は、期間Ｐ１、Ｐ８がＯＦＦ状態とされ、期間Ｐ２〜Ｐ７がＯＮ状態とされる。
【００５２】
上記のように、各スイッチ回路１２３１〜１２３８は、点灯期間のうちの２／８の期間がＯＦＦ状態とされており、このＯＦＦ状態となるタイミングを１／８の期間分だけ互いにずらすことによって、期間Ｐ１〜Ｐ８のどの期間においても、スイッチ回路１２３１〜１２３８のうちの６個が必ずＯＮ状態となるように制御されている。このため、点灯期間のどの時点においても、相対光束（６／８）が光源装置から放射されることとなる。
【００５３】
以上のように、本動作例によれば、各発光素子１１０１〜１１０８をそれぞれＰＷＭ制御することで、発光光束−駆動電流特性に関係なく、点灯期間中は、常に、一定の相対光束が光源装置から放射されることになる。よって、ＡＭ駆動だけでなく、ＰＷＭ駆動により階調表現が行われる空間光変調器にも適用が可能である。これに対して、図１０に示した従来の動作では、点灯期間中のある期間（期間Ｐ１、Ｐ２）において全ての発光素子がＯＦＦとなるために、ＰＷＭ駆動により階調表現が行われる空間光変調器への適用はできなかった。
【００５４】
また、従来のＡＭ駆動による調光とは異なり、各発光素子１１０１〜１１０８に供給される駆動電流は一定であるので、発光色がずれる現象（ブルーシフトやレッドシフト）は生じない。
【００５５】
さらに、図３に示した動作例のように、期間Ｐ１では、発光素子１１０２〜１１０８が発光し、期間Ｐ２では、発光素子１１０１、１１０３〜１１０８が発光する、といった具合に、点灯期間中は、発光素子１１０２〜１１０８から満遍なく７個の発光素子が選択されて発光するようになっているので、各発光素子１１０１〜１１０８の発光特性のばらつきが平均化される。よって、各発光素子１１０１〜１１０８の発光特性に個体差があった場合に、その影響を防止することができる。
【００５６】
また、点灯期間のうちのある期間において発光を行う従来の点滅動作とは異なり、点灯期間にわたって常に一定の相対光束を得られることから、フリッカを回避することが可能である。
【００５７】
（動作例２）
上述した第１の動作例では、点灯期間中は、発光素子１１０１〜１１０８から満遍なく発光素子を選択して発光させるようになっているが、発光させる発光素子の切替えを点灯期間中に行わなくても、一定の光束を得ることができる。ここでは、そのような動作例を説明する。
【００５８】
図５は、図２に示した光源装置の第２の動作例を示すタイミング図である。この例も、画像更新周期に同期して光源装置を周期的に点灯させ場合の動作である。各スイッチ回路１２３１〜１２３８は、光源制御部１２１から供給される制御信号がハイレベルのときにＯＮ状態になるものとする。図５中の下側には、光源の明るさとして、光源装置から放射される光束の、発光素子が全点灯した場合の光束を基準とする相対光束が示されている。
【００５９】
本動作例では、点灯期間毎に、スイッチ回路１２３１〜１２３８のうちから７個のスイッチ回路が選択されて、その点灯期間中ＯＮ状態とされる。具体的には、ある点灯期間Ａでは、スイッチ回路１２３１がＯＦＦ状態とされ、スイッチ回路１２３２〜１２３８がＯＮ状態とされる。次の点灯期間Ｂでは、スイッチ回路１２３２がＯＦＦ状態とされ、スイッチ回路１２３１、１２３３〜１２３８がＯＮ状態とされる。次の点灯期間Ｃでは、スイッチ回路１２３３がＯＦＦ状態とされ、スイッチ回路１２３１、１２３２、１２３４〜１２３８がＯＮ状態とされる。次の点灯期間Ｄでは、スイッチ回路１２３４がＯＦＦ状態とされ、スイッチ回路１２３１〜１２３３、１２３５〜１２３８がＯＮ状態とされる。次の点灯期間Ｅでは、スイッチ回路１２３５がＯＦＦ状態とされ、スイッチ回路１２３１〜１２３４、１２３６〜１２３８がＯＮ状態とされる。次の点灯期間Ｆでは、スイッチ回路１２３６がＯＦＦ状態とされ、スイッチ回路１２３１〜１２３５、１２３７、１２３８がＯＮ状態とされる。次の点灯期間Ｇでは、スイッチ回路１２３７がＯＦＦ状態とされ、スイッチ回路１２３１〜１２３６、１２３８がＯＮ状態とされる。次の点灯期間Ｈでは、スイッチ回路１２３８がＯＦＦ状態とされ、スイッチ回路１２３１〜１２３７がＯＮ状態とされる。
【００６０】
上記のように、点灯期間Ａ〜Ｈのいずれの期間においても、スイッチ回路１２３１〜１２３８のうちの７個が必ずＯＮ状態となるように制御されている。このため、どの点灯期間中のどの時点においても、各発光素子１１０１〜１１０８がすべて点灯した場合の全光束に対する相対光束（７／８）が光源装置から放射されることとなる。なお、光源装置から放射される光束をさらに減光する場合は、点灯期間中にＯＮ状態とするスイッチ回路の数を少なくして相対光束を小さくする。
【００６１】
本動作例においても、上述した第１の動作例と同様、点灯期間にわたって一定の相対光束の放射が可能であるので、ＰＷＭ駆動により階調表現が行われる空間光変調器への適用が可能である。また、発光色がずれる現象（ブルーシフトやレッドシフト）やフリッカの発生および発光特性のばらつきの影響を防止することができる。
【００６２】
（動作例３）
上述した第１および第２の動作例では、点灯期間内または点灯期間毎に、発光させる発光素子の切替えを行うようになっているが、点灯期間にわたって一定の光束を得るという観点からすれば、発光させる発光素子の切替えを行わなくてもよい。ここでは、そのような動作例を説明する。
【００６３】
図６は、図２に示した光源装置の第３の動作例を示すタイミング図である。この例も、画像更新周期に同期して光源装置を周期的に点灯させた場合の動作である。各スイッチ回路１２３１〜１２３８は、光源制御部１２１から供給される制御信号がハイレベルのときにＯＮ状態になるものとする。図６中の下側には、光源の明るさとして、光源装置から放射される光束の、発光素子が全点灯した場合の光束を基準とする相対光束が示されている。
【００６４】
本動作例では、点灯期間中は、スイッチ回路１２３１がＯＦＦ状態とされ、スイッチ回路１２３２〜１２３８がＯＮ状態とされる。よって、どの点灯期間中のどの時点においても、各発光素子１１０１〜１１０８がすべて点灯した場合の全光束に対する相対光束（７／８）が光源装置から放射されることとなる。なお、光源装置から放射される光束をさらに減光する場合は、点灯期間中にＯＮ状態とするスイッチ回路の数を少なくして相対光束を小さくする。
【００６５】
本動作例においても、第１の動作例と同様、点灯期間にわたって一定の相対光束の放射が可能であるので、ＰＷＭ駆動により階調表現が行われる空間光変調器への適用が可能であり、また、発光色がずれる現象（ブルーシフトやレッドシフト）やフリッカの発生を防止することができる。
【００６６】
加えて、発光させる発光素子を動的に切替えずに一意に決めるようになっているため、制御回路が非常に簡易になる。
【００６７】
なお、本動作例では、第１および第２の動作例とは異なり、発光素子に個体差があると全光束−発光個数特性の線形性が歪むので、全光束調整の精確さが劣化すること、駆動する発光素子が偏るので光源装置としての寿命が短くなることなどの欠点がある。第１および第２の動作例は、これらの欠点を回避するものとなっている。
【００６８】
（動作例４）
上述した第１の動作例では、発光させる発光素子を切替えるタイミングは、光源点灯周期や画像更新周期に同期しており、各スイッチ回路１２３１〜１２３８のそれぞれのＯＮ／ＯＦＦのタイミングが各点灯期間で同じになっているが、所定の期間において発光させる発光素子の個数が一定であれば、発光させる発光素子をどの時点で切替えてもよい。すなわち、各発光素子のそれぞれにおける点滅周期は、光源点灯周期や画像更新周期と異なっていても良い。ここでは、そのような動作例を説明する。
【００６９】
図７は、図２に示した光源装置の第４の動作例を示すタイミング図である。この例も、画像更新周期に同期して光源装置を周期的に点灯させた場合の動作である。各スイッチ回路１２３１〜１２３８は、光源制御部１２１から供給される制御信号がハイレベルのときにＯＮ状態になるものとする。図７中の下側には、光源の明るさとして、光源装置から放射される光束の、発光素子が全点灯した場合の光束に対する相対光束が示されている。なお、以下の説明では、光源点灯期間において定期的に発生するタイミングｔ０，ｔ１，ｔ２，．．．を想定し、タイミングｔ０〜ｔ６が点灯期間Ａに存在し、タイミングｔ７〜ｔ１２が点灯期間Ｂに存在するものと仮定する。
【００７０】
今、信号Ｅ、Ｆ１〜Ｆ８を考える。信号Ｅは光源点灯期間にハイレベルとなり、光源消灯期間にローレベルとなるようにする。信号Ｆ１は、タイミングｔ０〜ｔ１でローレベルとなり、ｔ１〜ｔ８でハイレベルとなり、以降周期的に１期間ローレベル、７期間ハイレベルとなるようにする。信号Ｆ２は、タイミングｔ１〜ｔ２でローレベルとなり、ｔ２〜ｔ９でハイレベルとなり、以降周期的に１期間ローレベル、７期間ハイレベルとなるようにする。信号Ｆ３は、タイミングｔ２〜ｔ３でローレベルとなり、ｔ３〜ｔ１０でハイレベルとなり、以降周期的に１期間ローレベル、７期間ハイレベルとなるようにする。信号Ｆ４は、タイミングｔ３〜ｔ４でローレベルとなり、ｔ４〜ｔ１１でハイレベルとなり、以降周期的に１期間ローレベル、７期間ハイレベルとなるようにする。信号Ｆ５は、タイミングｔ４〜ｔ５でローレベルとなり、ｔ５〜ｔ１２でハイレベルとなり、以降周期的に１期間ローレベル、７期間ハイレベルとなるようにする。信号Ｆ６は、タイミングｔ５〜ｔ６でローレベルとなり、ｔ６〜ｔ１３でハイレベルとなり、以降周期的に１期間ローレベル、７期間ハイレベルとなるようにする。信号Ｆ７は、タイミングｔ６〜ｔ７でローレベルとなり、ｔ７〜ｔ１４でハイレベルとなり、以降周期的に１期間ローレベル、７期間ハイレベルとなるようにする。信号Ｆ８は、タイミングｔ７〜ｔ８でローレベルとなり、ｔ８〜ｔ１５でハイレベルとなり、以降周期的に１期間ローレベル、７期間ハイレベルとなるようにする。
【００７１】
スイッチ回路１２３１は、信号Ｅ＝ハイレベルかつ信号Ｆ１＝ハイレベルのときのみにＯＮ状態となるようにする。スイッチ回路１２３２は、信号Ｅ＝ハイレベルかつ信号Ｆ２＝ハイレベルのときのみにＯＮ状態となるようにする。スイッチ回路１２３３は、信号Ｅ＝ハイレベルかつ信号Ｆ３＝ハイレベルのときのみにＯＮ状態となるようにする。スイッチ回路１２３４は、信号Ｅ＝ハイレベルかつ信号Ｆ４＝ハイレベルのときのみにＯＮ状態となるようにする。スイッチ回路１２３５は、信号Ｅ＝ハイレベルかつ信号Ｆ５＝ハイレベルのときのみにＯＮ状態となるようにする。スイッチ回路１２３６は、信号Ｅ＝ハイレベルかつ信号Ｆ６＝ハイレベルのときのみにＯＮ状態となるようにする。スイッチ回路１２３７は、信号Ｅ＝ハイレベルかつ信号Ｆ７＝ハイレベルのときのみにＯＮ状態となるようにする。スイッチ回路１２３８は、信号Ｅ＝ハイレベルかつ信号Ｆ８＝ハイレベルのときのみにＯＮ状態となるようにする。
【００７２】
従って、スイッチ回路１２３１は、光源点灯期間Ａ、Ｂのうち、期間ｔ０〜ｔ１およびｔ８〜ｔ９を除く期間がＯＮとされる。スイッチ回路１２３２は、光源点灯期間Ａ、Ｂのうち、期間ｔ１〜ｔ２およびｔ９〜ｔ１０を除く期間がＯＮとされる。スイッチ回路１２３３は、光源点灯期間Ａ、Ｂのうち、期間ｔ２〜ｔ３およびｔ１０〜ｔ１１を除く期間がＯＮとされる。スイッチ回路１２３４は、光源点灯期間Ａ、Ｂのうち、期間ｔ３〜ｔ４およびｔ１１〜ｔ１２を除く期間がＯＮとされる。スイッチ回路１２３５は、光源点灯期間Ａ、Ｂのうち、期間ｔ４〜ｔ５およびｔ１２〜を除く期間がＯＮとされる。スイッチ回路１２３６は、光源点灯期間Ａ、Ｂのうち、期間ｔ５〜ｔ６を除く期間がＯＮとされる。スイッチ回路１２３７は、光源点灯期間Ａ、Ｂのうち、期間ｔ６〜ｔ７を除く期間がＯＮとされる。スイッチ回路１２３８は、光源点灯期間Ａ、Ｂのうち、期間ｔ７〜ｔ８を除く期間がＯＮとされる。
【００７３】
上記のように、光源点灯期間Ａ、Ｂのどの時点においても、スイッチ回路１２３１〜１２３８のうちから７個のスイッチ回路が選択されてＯＮ状態とされるようになっているが、各発光素子を点滅させる周期は、いずれも光源点灯周期と異なっている。すなわち、点灯周期のどの位相においても、発光させる発光素子が頻度に偏りがないように動的に切替えられるようになっている。
【００７４】
本動作例においても、上述した第１の動作例と同様、点灯期間にわたって一定の相対光束の放射が可能であるので、ＰＷＭ駆動により階調表現が行われる空間光変調器への適用が可能であり、また、発光色がずれる現象（ブルーシフトやレッドシフト）やフリッカの発生および発光特性のばらつきの影響を防止することができる。特に、ＰＷＭ駆動の空間光変調器を照明する場合に、発光素子の発光特性に個体差があっても階調表現の線形性が保たれる点において、第１および第２の動作例より優れている。その理由は、画像更新周期のどの位相においても発光素子を満遍なく選択して発光するようになっているので、特定のビットに相当するスロットで発光する発光素子に偏りがないからである。
【００７５】
本動作例における光源の調光は、各スイッチ回路のＯＦＦ状態とされる期間を調整して、点灯期間中に同時にオン状態とされるスイッチ回路の数を変えることで行うことができる。その調整範囲は、相対光束で、０／８〜８／８の範囲である。
【００７６】
（他の実施形態）
図８は、本発明の他の実施形態である光源装置の回路構成を示すブロック図である。この光源装置は、図２に示した構成において、発光素子アレイ１１に発光素子１１０９を加え、光源駆動回路１２に電力調整回路１２４を加えたものである。図２に示したものと構成、動作が同じ部分については、その説明を省し、異なる部分についてのみ、以下に詳細に説明する。
【００７７】
発光素子１１０９は、一方の電極が電源１２２の一方の電極に接続され、他方の電極が電力調整回路１２４を介して電源１２２の他方の電極に接続されている。電力調整回路１２４は、光源制御部１２１によって制御されるものであって、電源１２２から発光素子１１０９に供給する電流や電圧を調節する。
【００７８】
本他の実施形態の光源装置も、図１に示したような映像表示装置に適用可能であって、光源駆動回路１２が、信号処理回路５から供給される光源制御信号Ｓ２に基づいて、前述した実施形態と同様にスイッチ回路１２３１〜１２３８のＯＮ／ＯＦＦ制御を行うとともに、電力調整回路１２４によって発光素子１１０９の発光光束の調整を行う。この構成によれば、発光素子１１０９の発光光束の調整を行うことで、光源装置の明るさを細かく調整することができる。つまり、図２に示した光源装置では、明るさは点灯させる発光素子の個数を調整することで制御されるようになっているが、本他の実施形態の光源装置では、点灯させる発光素子の個数による調整に加えて、発光素子１１０９の発光光束を連続的に調整するようになっており、これにより、光源の明るさの連続的な調整が可能になっている。
【００７９】
以上説明した各実施形態の光源装置は、本発明の一例であり、その構成は、本発明の趣旨から逸脱しない範囲で適宜変更することができる。例えば、図２に示した光源装置では、１つのスイッチ回路に対して１つの発光素子を設けているが、１つのスイッチ回路に対して複数の発光素子を設けた構成としてもよい。この場合は、スイッチ回路と発光素子が一対一で設けられる場合に比べて、同じ制御回路規模であっても、光源を明るくすることができる、もしくは同じ明るさであっても、制御回路規模を小さくすることができる。
【００８０】
また、図２に示した光源装置では、８個のスイッチ回路が設けられているが、スイッチ回路の数は８個でなくてもよい。スイッチ回路の個数を増やすほど、光束の調整をより細かくすることができるようになり、スイッチ回路の個数を減らすほど装置のサイズを小さくすることができる。
【００８１】
図２や図８に示した光源装置において、調光に関与しない発光素子を追加してもよい。この場合は、調光に関与する発光素子からの光束に、調光に関与しない発光素子からの光束が加わるため、光源から放射される光束の調整範囲をシフトさせることができる。例えば、調光に関与する発光素子を８個、調光に関与しない発光素子を９２個とした場合は、相対光束（９２／１００）〜（１００／１００）の範囲で光源の調光が可能となる。
【００８２】
また、図２や図８に示した光源装置において、発光素子１１０１〜１１０８の一部または全部を駆動する電流や電圧を調節できるようにしてもよい。この場合は、各発光素子の特性の個体差を補正することができ、より精確な光束調整が可能になる。加えて、駆動電流や駆動電圧によって色度が変化する発光素子を用いた場合、各発光素子の色度が一様になるように調整することが可能になる。
【００８３】
以上説明した本発明の光源装置は、図１に示したような投写光学系を有する投写型映像表示装置の他、投写光学系を持たない直視型映像表示装置や虚像を生成するＨＭＤのような映像表示装置などにも適用することができる。
【００８４】
また、本発明の光源装置が適用される映像表示装置は、ＴＮ液晶デバイスなどのＡＭ駆動のタイプの空間光変調器を用いるものであってもよいし、強誘電性液晶デバイスやＤＭＤなどのＰＷＭ駆動のタイプの空間光変調器を用いるものであってもよい。さらに、空間光変調器は、透過型のものであっても、反射型のものであってもよい。
【００８５】
さらに、本発明の光源装置が適用される映像表示装置は、カラー表示方式のものであってもよいし、モノクロ表示方式のものであってもよい。カラー表示方式としては、図１に示すような１個の空間光変調器に複数色の光を順次照射するタイプ、いわゆるＦＳＣ(Field Sequential Color)方式の他、複数の空間光変調器にそれぞれ異なる色の光を照射してから光学的に画像光を合成することによってカラー表示を行う方式、画素ごとに複数色のカラーフィルターを有する空間光変調器に白色光を照明してカラー表示を行う方式などがある。ＦＳＣ方式のために光源色を切替えるなどのように光源を周期的にＯＮ／ＯＦＦする必要がある場合以外のシステムにおいても、本発明の光源装置およびその駆動方法が適用され得ることは明らかである。
【図面の簡単な説明】
【００８６】
【図１】本発明の光源装置が適用される映像表示装置の一構成例を示すブロック図である。
【図２】本発明の一実施形態である光源装置の回路構成を示すブロック図である。
【図３】図２に示す光源装置の動作例を示すタイミング図である。
【図４】図２に示す光源装置の動作例を示すタイミング図である。
【図５】図２に示す光源装置の動作例を示すタイミング図である。
【図６】図２に示す光源装置の動作例を示すタイミング図である。
【図７】図２に示す光源装置の動作例を示すタイミング図である。
【図８】本発明の他の実施形態である光源装置の回路構成を示すブロック図である。
【図９】従来のＰＷＭ駆動の光源装置の回路構成を示すブロック図である。
【図１０】図９に示す光源装置の動作を示すタイミング図である。
【符号の説明】
【００８７】
１Ｒ、１Ｇ、１Ｂ  光源装置
２  照明光学系
３  空間光変調器
４  投写光学系
５  信号処理回路
１１、１１Ｒ、１１Ｇ、１１Ｂ  発光素子アレイ
１２、１２Ｒ、１２Ｇ、１２Ｂ    光源駆動回路
２１  色合成光学系
２２  インテグレータ光学系
１２１、Ｃ１２１  光源制御部
１２２、Ｃ１２２  電源
１２４  電力調整回路
１１０１〜１１０９、Ｃ１１０１〜１１０８  発光素子
１２３１〜１２３８、Ｃ１２３  スイッチ回路
【図１】
2005156711.tif 000003
【図２】
2005156711.tif 000004
【図３】
2005156711.tif 000005
【図４】
2005156711.tif 000006
【図５】
2005156711.tif 000007
【図６】
2005156711.tif 000008
【図７】
2005156711.tif 000009
【図８】
2005156711.tif 000010
【図９】
2005156711.tif 000011
【図１０】
2005156711.tif 000012